(57)【要約】【課題】  電磁弁を用いることなく低コストで、且つ液体薬剤を安定的に供給することができる洗浄水吐出装置、及びこれを備えた便器装置を提供する。【解決手段】  供給される洗浄水を吐出口９から外部に吐出する洗浄水流路１１と、洗浄水流路１１中に合流する薬剤供給経路１２と、洗浄水流路１１を流れる洗浄水に薬剤供給経路１２から液体薬剤１０を供給するための圧力を付与する薬剤供給用ポンプ１３と、薬剤供給経路１２中に配される開閉弁３３とを具備した洗浄水吐出装置６である。前記開閉弁３３は、薬剤供給用ポンプ１３の運転により開口し且つ運転停止により閉口するスリット状貫通孔を有する弾性部材とし、該スリット状貫通孔が洗浄水流路１１の洗浄水の流れに臨み且つ該洗浄水の流れに略平行となるように配する。【選択図】図１
2008138421.tif 000002
【特許請求の範囲】
【請求項１】
供給される洗浄水を吐出口から外部に吐出する洗浄水流路と、洗浄水流路中に合流する薬剤供給経路と、洗浄水流路を流れる洗浄水に薬剤供給経路から液体薬剤を供給するための圧力を付与する薬剤供給用ポンプと、薬剤供給経路中に配される開閉弁とを具備し、前記開閉弁は、薬剤供給用ポンプの運転により開口し且つ運転停止により閉口するスリット状貫通孔を有する弾性部材であり、該スリット状貫通孔が洗浄水流路の洗浄水の流れに臨み且つ該洗浄水の流れに略平行となるように配してあることを特徴とする洗浄水吐出装置。
【請求項２】
開閉弁の周囲には、スリット状貫通孔の開口を一定範囲に規制する規制手段を備えていることを特徴とする請求項１に記載の洗浄水吐出装置。
【請求項３】
請求項１又は２に記載の洗浄水吐出装置の洗浄水流路の吐出口を、ボウル部内に臨ませてあることを特徴とする便器装置。
【発明の詳細な説明】
【技術分野】
【０００１】
本発明は、液体薬剤を混入した洗浄水を吐出するための洗浄水吐出装置、及びこれを備えた便器装置に関するものである。
【背景技術】
【０００２】
便器装置においては、ボウル部内に洗浄水を吐出するための洗浄水吐出装置が備えられている。特許文献１には、この洗浄水吐出装置の洗浄水流路中に液体薬剤を合流させ、液体薬剤が混入された状態の洗浄水をボウル部内に吐出する構成のものが開示されている。液体薬剤は薬剤供給経路を通じて混入され、この薬剤供給経路中に配してある開閉弁によって混入が制御される構成である。しかし上記従来の洗浄水吐出装置にあっては、開閉弁として電磁弁を備えてこれの開閉動作を適宜制御する構成が必要となり、低コスト化を図ることが困難であるという問題がある。
【０００３】
そこでまず本発明者は、ポンプ圧力により弾性変形を生じて開口し、ポンプを停止すれば復元力により閉口するようなスリット状貫通孔を有する開閉弁を発想した。これによれば電磁弁を用いる必要がなく、また弁の開閉を直接制御する必要もないので低コスト化が図られる。しかし、上記開閉弁にあっては、このスリット状貫通孔を形成する弾性部材が洗浄水流路を流れる洗浄水の水圧の影響を受け易くなるため、スリット状貫通孔を通じて液体薬剤を安定的に供給することが困難であるという問題があった。
【特許文献１】特開平５−２１４７５７号公報
【発明の開示】
【発明が解決しようとする課題】
【０００４】
本発明は上記問題点に鑑みて発明したものであって、電磁弁を用いることなく低コストで、且つ液体薬剤を安定的に供給することができる洗浄水吐出装置、及びこれを備えた便器装置を提供することを課題とするものである。
【課題を解決するための手段】
【０００５】
上記課題を解決するために本発明を、供給される洗浄水を吐出口９から外部に吐出する洗浄水流路１１と、洗浄水流路１１中に合流する薬剤供給経路１２と、洗浄水流路１１を流れる洗浄水に薬剤供給経路１２から液体薬剤１０を供給するための圧力を付与する薬剤供給用ポンプ１３と、薬剤供給経路１２中に配される開閉弁３３とを具備し、前記開閉弁３３は、薬剤供給用ポンプ１３の運転により開口し且つ運転停止により閉口するスリット状貫通孔４０を有する弾性部材であり、該スリット状貫通孔４０が洗浄水流路１１の洗浄水の流れに臨み且つ該洗浄水の流れに略平行となるように配してあることを特徴とした洗浄水吐出装置６とする。
【０００６】
上記構成の洗浄水吐出装置６にあっては、薬剤供給用ポンプ１３を運転すればスリット状貫通孔４０が開口して洗浄水流路１１を流れる洗浄水に液体薬剤１０が混入され、薬剤供給用ポンプ１３を停止すればスリット状貫通孔４０が閉口して液体薬剤１０の混入は停止される。したがって、従来のように開閉弁３３として電磁弁を用いてこれの開閉を適宜制御するといった構成を具備する必要なく、弾性部材から成る開閉弁３３を薬剤供給経路１２中に配しておくだけの簡単な構成により、薬剤供給用ポンプ１３の運転のオンオフと連動して液体薬剤１０の混入のオンオフを切り替えることが可能になっている。
【０００７】
しかも、スリット状貫通孔４０は洗浄水流路１１の洗浄水の流れに臨み且つ該洗浄水の流れに略平行となるように配してあるので、このスリット状貫通孔４０の開閉が洗浄水流路１１中の洗浄水の流れに影響を受けることは防止されている。したがって、スリット状貫通孔４０の開閉は安定的に制御されるものである。即ち上記構成の洗浄水吐出装置６にあっては、開閉弁３３として電磁弁を用いることなく低コストで、且つ液体薬剤１０を安定的に供給することができるものとして提供することが可能になる。
【０００８】
また上記構成の洗浄水吐出装置６において、開閉弁３３の周囲には、スリット状貫通孔４０の開口を一定範囲に規制する規制手段を備えていることが好ましい。このような規制手段を備えることで、スリット状連通孔４０が開口し過ぎて液体薬剤１０が過剰に供給されることが防止される。したがって、開閉弁３３を通じての液体薬剤１０の供給が、安定的に且つ適量で行われるものである。
【０００９】
また本発明を、上記構成の洗浄水吐出装置６の洗浄水流路１１の吐出口９を、ボウル部５内に臨ませてあることを特徴とする便器装置１とすることも好適である。このようにすることで、吐出口９から洗浄水、又は洗浄水中に適量の液体薬剤１０を混入して得た薬剤入り洗浄水のいずれかを選択的にボウル部５の内面に吐出して洗浄する便器装置１を、低コストで且つ液体薬剤を安定的に供給することができるものとして提供することが可能になる。
【発明の効果】
【００１０】
請求項１に係る発明は、電磁弁を用いることなく低コストで、且つ液体薬剤を安定的に供給することができる洗浄水吐出装置になるという効果を奏する。
【００１１】
また請求項２に係る発明は、請求項１に係る発明の効果に加えて、スリット状連通孔が開口し過ぎて液体薬剤が過剰に供給されることを防止し、適量の液体薬剤を安定的に供給することが可能になるという効果を奏する。
【００１２】
また請求項３に係る発明は、吐出口から洗浄水、又は洗浄水中に適量の液体薬剤を混入して得た薬剤入り洗浄水のいずれかを選択的にボウル部の内面に吐出して洗浄する便器装置を、低コストで且つ液体薬剤を安定的に供給することができるものとして提供することが可能になるという効果を奏する。
【発明を実施するための最良の形態】
【００１３】
以下、本発明を添付図面に示す実施形態に基づいて説明する。図１には、本発明の実施形態における一例の洗浄水吐出装置６を備えた便器装置１を示している。本例の便器装置１は、合成樹脂製の便器２で主体を構成してある。なお図中の符合３は便器２に回動自在に設けた便座であり、符合４は便器２に回動自在に設けた便蓋である。
【００１４】
便器２のボウル部５の下部には後方に向けて排水筒部７を突設してあり、該排水筒部７からトラップ筒８を介してボウル部５内の溜水を排水できるようになっている。本例のトラップ筒８はターントラップ方式のもので、モータ（図示せず）によりトラップ筒８を回動して、図１に実線で示すようにトラップ筒８が上向きＵ字状のトラップ構造となる状態と、破線で示すように略逆Ｌ字状となってトラップ構造が解除される状態とを、選択できるようになっている。通常はトラップ筒８が上向きＵ字状のトラップ構造を保持し、ボウル部５内の下部、排水筒部７、トラップ筒８内に水が溜まった状態となるが、この状態で大便や小便を行い、大便や小便が終わると、洗浄水吐出装置６の吐出口９からボウル部５内に向けて洗浄水を流すと共に、トラップ筒８を回動してトラップ構造を解除することで、汚物と共に汚水を排水するようになっている。
【００１５】
便器２の後部に内装される本例の洗浄水吐出装置６は図１乃至図５に示すようなもので、吐出口９から洗浄水、又は洗浄水に液体薬剤１０を混入して得た薬剤入り洗浄水のいずれか一方を、選択的にボウル部５の内面に吐出して洗浄するものである。
【００１６】
図１に概略的に示すように洗浄水吐出装置６は、洗浄水が供給される洗浄水流路１１と、洗浄水流路１１に合流する薬剤供給経路１２を備えている。薬剤供給経路１２には、該薬剤供給経路１２から洗浄水流路１１を流れる洗浄水に液体薬剤１０を供給するための圧力を付与する薬剤供給用ポンプ１３を設けている。
【００１７】
洗浄水流路１１は、水源（図示せず）に接続されて水道水からなる洗浄水が供給される流路である。洗浄水流路１１に洗浄水を供給する手段としては、水道圧を利用する。洗浄水流路１１の下流側端部には、ボウル部５の上端部後方に配設されて該ボウル部５内に臨む吐出ノズル１４（図２等参照）を設けてあり、該吐出ノズル１４の先端開口で前述の吐出口９を構成している。吐出口９はボウル部５の側端部に臨んでおり、該吐出口９から吐出された洗浄水又は薬剤入り洗浄水はボウル部５の内周面に沿って旋回する。洗浄水流路１１において薬剤供給経路１２との合流部１５よりも上流側には電磁弁１６を設けてあり、電磁弁１６を開閉することで、洗浄水流路１１に供給された洗浄水を吐出口９から吐出するか否かを切替可能としてある。
【００１８】
洗浄水流路１１において合流部１５よりも上流側であり且つ電磁弁１６よりも下流側である部分には、洗浄水流路１１を流れる洗浄水に空気を混入して、気泡入り洗浄水を生成する空気混入部１７を設けている。空気混入部１７は、一端を大気に開放した空気供給路１８の他端を洗浄水流路１１の一部に接続することで構成しており、洗浄水流路１１を流れる洗浄水のエジェクタ効果によって空気供給路１８から洗浄水流路１１に空気を供給し、これにより気泡入り洗浄水を得る仕組みである。
【００１９】
図５等に示すように、洗浄水流路１１において空気供給路１８を接続する部分は、上流側のノズル管１９と下流側のエジェクタ管２０とで構成してある。ノズル管１９は、下流側に向かって流路断面積を徐々に小さくする先細形状に形成しており、このノズル管１９の先端部を、エジェクタ管２０の一端開口から該エジェクタ管２０内に挿入している。上記挿入によりノズル管１９の先端部外側に位置することとなるエジェクタ管２０の内周面は、ノズル管１９の先端部外周面よりも大径に形成しており、これによりノズル管１９の先端部近傍に、洗浄水の流れにより大きな負圧が発生する負圧発生部２１を形成している。前述の空気供給路１８の一端は洗浄水流路１１の負圧発生部２１に接続してあり、負圧発生部２１で発生する負圧によって、洗浄水流路１１を流れる洗浄水に確実に且つ充分な量の空気が混入されるようになっている。
【００２０】
エジェクタ管２０における負圧発生部２１よりも下流側の部分には、ベンチュリ管状の絞り流路部２２を形成している。該絞り流路部２２は、上流側及び下流側の流路断面積の大きな大径部２３と、両大径部２３間の小径部２４とで構成してあり、上流側から流れてきた気泡入り洗浄水を通過時に圧力変化させ、これにより洗浄水に含まれる気泡を剪断して細分化する。また洗浄水流路１１の薬剤供給経路１２との合流部１５よりも下流側の箇所には、洗浄水に含まれる気泡を更に細分化する気泡細分化手段として、気泡を剪断するメッシュで構成した整流板２５を設けている。なお、エジェクタ管２０の下流側端部には、前述の吐出口９を構成する吐出ノズル１４の基端部を接続している。
【００２１】
図１に示すように薬剤供給経路１２は、界面活性剤を含む洗剤から成る液体薬剤１０が循環する循環経路２６と、循環経路２６から分岐した分岐経路２７とで構成してあり、該分岐経路２７の下流側端部を洗浄水流路１１に接続させている。
【００２２】
循環経路２６の途中には、液体薬剤１０を貯留する薬剤タンク２８を設けてあり、該薬剤タンク２８は便器２の後部の下側部分に内装してある。薬剤タンク２８には薬剤供給口２９が設けてあり、該薬剤供給口２９は着脱自在に取付けたキャップ３０により閉塞させている。便器２の外面において薬剤タンク２８に対向する部分は、便器２に対して着脱自在なカバー（図示せず）により構成してあり、使用者はこのカバーを取り外すことで、薬剤タンク２８の薬剤供給口２９から薬剤タンク２８内に液体薬剤１０を補充できるようになっている。また薬剤タンク２８は便器２に対して着脱自在に設けてあり、前述のカバーを取り外して便器２から外部に取り出した状態で液体薬剤１０を補充できるようになっている。循環経路２６における分岐経路２７との分岐部３１のすぐ上流側には、薬剤タンク２８内の液体薬剤１０を循環経路２６中で循環させる循環ポンプ１３ａを設けており、この循環ポンプ１３ａにより、洗浄水流路１１を流れる洗浄水に液体薬剤１０を供給するための圧力を付与する薬剤供給用ポンプ１３を構成している。
【００２３】
図５等に示すように、分岐経路２７の上流側部分（即ち、後述の管部３７によって構成される部分）は小径の孔部で構成してあり、循環ポンプ１３ａにより圧力を付与されて循環経路２６内を循環する液体薬剤１０のうち、少量の液体薬剤１０がこの小径の分岐経路２７を介して洗浄水流路１１に供給されるようになっている。分岐経路２７の下流側端部は、前述のエジェクタ管２０において洗浄水の流速が速くなって大きな負圧が発生する絞り流路部２２の小径部２４の上端部に接続している。換言すれば、洗浄水流路１１における薬剤供給経路１２との合流部１５は、絞り流路部の小径部２４で構成してある。そして、分岐経路２７の下流側端部には、開閉自在な開閉弁３３を設けており、該開閉弁３３を開閉することによって、薬剤供給経路１２と洗浄水流路１１の連通状態と非連通状態とを切替可能にしている。なお、開閉弁３３については後に詳述する。
【００２４】
上記便器装置１の洗浄水吐出装置６は制御部（図示せず）を備えており、適宜操作により制御部に便器洗浄指令を送信すると、制御部は以下に述べるボウル洗浄モードで運転を行い、ボウル部５を洗浄するように設定されている。なお薬剤供給用ポンプ１３、電磁弁１６、モータ等は制御部に接続されて制御される。
【００２５】
図１０のタイムチャートに示すように、ボウル洗浄モードは、便器洗浄指令を受信した際に開始する洗浄水吐出モードと、洗浄水吐出モードで所定時間ｔ１運転した後に開始する薬剤入り洗浄水吐出モードとで構成してあり、薬剤入り洗浄水吐出モードの開始から所定時間ｔ２後にボウル洗浄モードは終了する。
【００２６】
洗浄水吐出モードは、液体薬剤１０を混入していない洗浄水（即ち水道水）を吐出口９から吐出するモードである。該洗浄水吐出モードでは、薬剤供給用ポンプ１３を停止するとともに開閉弁３３を閉弁させ、薬剤供給経路１２と洗浄水流路１１を非連通状態にしたうえで、電磁弁１６を開いて洗浄水流路１１に洗浄水を供給する。これにより水源から洗浄水流路１１に供給された洗浄水は、空気混入部１７において空気が混入されて気泡入り洗浄水となり、この後、この洗浄水に含まれる気泡が絞り流路部２２で細分化され、さらに整流板２５で細分化された後、吐出口９から吐出される。またこの洗浄水吐出モードにおいては、洗浄水吐出モードを開始してから所定時間ｔ３経過後に、モータを駆動してトラップ筒８を略逆Ｌ字状とし、これによりボウル部５内の溜水を排水する。さらにこの所定時間ｔ４経過後にはモータを駆動してトラップ筒８を通常の上向きＵ字状とし、以後このボウル部５内に洗浄水を溜めることが可能な状態を維持する。
【００２７】
ここで、洗浄水吐出モードにおいて吐出口９から吐出される洗浄水に含まれる気泡の径は比較的大径である数ｍｍ程度に設定してある。このように気泡を含む洗浄水を吐出することで、洗浄水に含まれる気泡が破裂した際に発生する高周波振動の惹起により、気泡入り洗浄水自体の高い洗浄力によってボウル部５の内面を効率良く洗浄できるようにしてある。この場合、洗浄水の節水効果を高めることができる。特にこの洗浄水に含まれる気泡はミリメータサイズと比較的大径であるから、気泡が破裂し易くてボウル部５の内面が効率良く洗浄される。
【００２８】
上記洗浄水吐出モードが終了すると、薬剤入り洗浄水吐出モードに移行する。薬剤入り洗浄水吐出モードは、液体薬剤１０を混入した洗浄水（即ち、薬剤入り洗浄水）を吐出口９から吐出するモードである。薬剤入り洗浄水吐出モードでは、薬剤供給用ポンプ１３を運転して後述の如く開閉弁３３を開弁させ、薬剤供給経路１２と洗浄水流路１１を連通させるとともに、電磁弁１６を開弁させて洗浄水流路１１に洗浄水を供給する。これにより水源から洗浄水流路１１に供給された洗浄水は、薬剤供給経路１２との合流部１５よりも上流側においては空気混入部１７において空気が混入されて気泡を含む洗浄水となり、下流側に流れる。これと同時に薬剤供給用ポンプ１３によって循環経路２６内を流れる液体薬剤１０の一部が分岐経路２７及び開閉弁３３を介して洗浄水流路１１の合流部１５に流入し、この合流部１５において前記洗浄水流路１１を流れる気泡を含む洗浄水と合流する。これにより気泡を含む薬剤入り洗浄水となって以後は、この薬剤入り洗浄水に含まれる気泡が絞り流路部２２で細分化され、さらに整流板２５で細分化された後、吐出口９から外部に吐出される。
【００２９】
上記洗浄水吐出モードにおいて吐出口９から吐出される薬剤入り洗浄水に含まれる気泡の径は、前述の洗浄水吐出モードにおいて吐出口９から吐出される洗浄水に含まれる気泡の径よりも小径となっている。これは、絞り流路部２２及び整流板２５で細分化される薬剤入り洗浄水に界面活性剤を含む液体薬剤１０が混入された場合には、洗浄水の表面張力が低下し、これにより絞り流路部２２及び整流板２５で剪断力が加えられる際に気泡がより細分化されるためである。具体的には、洗浄水吐出モードにおいては吐出口９から吐出される薬剤入り洗浄水に含まれる気泡の径が平均６０μｍ程度となるように設定してある。気泡径をこのように設定することで、ボウル部５の内面において溜水の水面と接する喫水線部分に、界面活性剤を含む薬剤入り洗浄水で界面を形成した防汚効果の高いマイクロメータサイズの微小泡を付着させることができる。また、この微小泡は破裂し難く長時間ボウル部５の内面に付着させることができ、これらによりボウル部５の内面、特に喫水線部分を清潔に保持することができる。
【００３０】
そして本発明にあっては、前記の開閉弁３３を、弾性変形可能であり、薬剤供給用ポンプ１３が運転される薬剤入り洗浄水吐出モードにおいては該薬剤供給用ポンプ１３により付与される圧力によって弾性変形して開弁し、且つ薬剤供給用ポンプ１３が運転停止される洗浄水吐出モードにおいては弾性復帰して閉じる弾性部材としている。以下、更に詳述する。
【００３１】
図３、図１１等に示すように、エジェクタ管２０の小径部２４からは上方に向けて筒部３４を一体に突設してあり、筒部３４の下底部を構成するエジェクタ管２０の外周部には、筒部３４内と小径部２４内を連通させるスリット孔３５を形成している。このスリット孔３５は、洗浄水流路１１を流れる洗浄水の流れ方向と略平行になるよう設けてある。筒部３４の上部には、循環経路２６の一部を構成する管路３６から下方に突設した管部３７を挿入して密閉状態に接続してある。なお管部３７の上端は管路３６内、つまり循環経路２６内に連通している。
【００３２】
筒部３４の下部の内側には弾性変形可能なゴムのような弾性部材で形成した開閉弁３３を配設している。図８及び図９に示すように開閉弁３３は、一端（上端）の開口した円筒状を成す導入部３８と、導入部３８の他端（下端）底部から下方に延設した薄片状の開閉部３９とで主体を構成している。開閉弁３３は、図１１のように導入部３８を筒部３４の下部の内側に嵌め込み、導入部３８の上端周縁に設けてあるフランジ部４５を管部３７との間で挟み込むことで筒部３４に固定されている。
【００３３】
開閉弁３３の開閉部３９には、その厚み方向の中央を上下方向に貫通するスリット状貫通孔４０が形成されており、これにより、弾性を有する一対のシート状部材の両端同士を接合させたような構成となっている。このスリット状貫通孔４０は、導入部３８の内側と開閉部３９の先端面（下端面）とを連通させるものであり、導入部３８の軸方向（即ち、導入部３８を通じて開閉弁３３内に導入される液体薬剤１０の流れ方向）から見て洗浄水流路１１を流れる洗浄水の流れ方向と平行なスリット状に形成されている。なお図１１に示すように、開閉弁３３の開閉部３９は外力が加わっていない状態ではスリット状貫通孔４０を閉じた状態で自己の形状を保持する。
【００３４】
開閉弁３３の薄片状の開閉部３９の先端部は、前述のエジェクタ管２０の小径部２４に形成したスリット孔３５内に幅方向の隙間４３を介して挿入され、これにより開閉弁３３のスリット状貫通孔４０の開閉部３９の先端開口が小径部２４内（即ち洗浄水流路１１内の洗浄水の流れ）に臨むこととなる。つまり本例の分岐経路２７は、循環経路２６から順に連続して配管される上記管部３７、筒部３４の下部、開閉弁３３で構成している。
【００３５】
また筒部３４の周壁部において開閉部３９に対向する位置には通気孔４１を設けており、筒部３４内の開閉弁３３の開閉部３９外側に形成された空間４２を、通気孔４１を介して外部に連通させている。これにより開閉弁３３がスリット状貫通孔４０を閉じた図１１の状態では、洗浄水流路１１の薬剤供給経路１２との合流部１５は、開閉弁３３の開閉部３９の先端部とスリット孔３５の内周面との間に形成された隙間４３、空間４２、通気孔４１を順に介して外部に連通することとなり、これら隙間４３、空間４２、通気孔４１で洗浄水流路１１の薬剤供給経路１２との合流部１５を大気に開放させる大気開放路４４が構成される。
【００３６】
上記開閉弁３３は、薬剤入り洗浄水吐出モード時においては、図１２に示すように薬剤供給用ポンプ１３が付与する圧力により開閉部３９が弾性変形してスリット状貫通孔４０を広げるように設定してある。このため薬剤入り洗浄水吐出モードにおいては薬剤供給経路１２の分岐経路２７と洗浄水流路１１とが開閉弁３３のスリット状貫通孔４０を介して連通し、薬剤供給用ポンプ１３により送り込まれる液体薬剤１０が、薬剤供給用ポンプ１３の圧力及び洗浄水流路１１の合流部１５で発生する負圧の作用によって、洗浄水流路１１を流れる洗浄液中に安定的に供給される。なおこの時、弾性変形した開閉部３９の先端部の外周面がスリット孔３５の内壁に当接し、スリット状貫通孔４０の開口幅を一定範囲に規制するように設定してある。即ち本例にあっては上記スリット孔３５の幅方向の内壁を、スリット状貫通孔４０の開口幅を一定範囲に規制する規制手段として備えてある。
【００３７】
また薬剤供給用ポンプ１３が停止される洗浄水吐出モード時においては、開閉弁３３には薬剤供給用ポンプ１３の圧力が加わらず、図１１に示すように開閉弁３３は開閉部３９が弾性復帰してスリット状貫通孔４０を閉じるように設定してある。このため洗浄水吐出モードにおいては、薬剤供給経路１２の分岐経路２７と洗浄水流路１１の連通状態が遮断される。即ち、薬剤供給用ポンプ１３の運転のオンオフに連動して、開閉弁３３の開閉部３９におけるスリット状貫通孔４０の開閉が自動的に切り替えられる構成となっている。
【００３８】
なお本例にあっては、開閉弁３３の開閉部３９においてスリット状貫通孔４０の先端（下端）が位置する先端面は、洗浄水流路１１の内周面と面一となるように設けているが、この開閉部３９の先端面が洗浄水流路１１の内周面よりも内側に突出するように配してあっても構わない。また、スリット状貫通孔４０の開口幅を一定範囲に規制する規制手段についても、スリット孔３５の内周面に限らず、筒部３４の他の部分や他部材によって規制する構成であっても構わない。
【図面の簡単な説明】
【００３９】
【図１】本発明の実施の形態の一例の洗浄水吐出装置を備えた便器装置を示す概略構成図である。
【図２】洗浄水吐出装置の要部を示し、（ａ）は側面図、（ｂ）は平面図、（ｃ）は正面図である。
【図３】図２（ｂ）のＡ−Ａ断面図である。
【図４】図２（ａ）のＢ−Ｂ断面図である。
【図５】図２（ｂ）のＣ−Ｃ断面図である。
【図６】エジェクタ管の斜視図である。
【図７】エジェクタ管の平面図である。
【図８】開閉弁の斜視図である。
【図９】同上の開閉弁を示し、（ａ）は平面図、（ｂ）は側面図、（ｃ）は正面図である。
【図１０】ボウル洗浄モード時の制御を示すタイムチャートである。
【図１１】同上の開閉弁の閉弁時を示す断面図である。
【図１２】同上の開閉弁の開弁時を示す断面図である。
【符号の説明】
【００４０】
１  便器装置
５  ボウル部
６  洗浄水吐出装置
９  吐出口
１０  液体薬剤
１１  洗浄水流路
１２  薬剤供給経路
１３  薬剤供給用ポンプ
３３  開閉弁
３５  スリット孔
４０  スリット状貫通孔
【図１】
2008138421.tif 000003
【図２】
2008138421.tif 000004
【図３】
2008138421.tif 000005
【図４】
2008138421.tif 000006
【図５】
2008138421.tif 000007
【図６】
2008138421.tif 000008
【図７】
2008138421.tif 000009
【図８】
2008138421.tif 000010
【図９】
2008138421.tif 000011
【図１０】
2008138421.tif 000012
【図１１】
2008138421.tif 000013
【図１２】
2008138421.tif 000014